(57)【要約】【課題】  健康端末装置にある局給電取得手段によりアナログ回線から動作に必要な電力を取得して各回路へ供給することで、ＡＣアダプタや電池が不要である健康端末装置を提供することを目的とする。【解決手段】  健康端末装置１０１は、アナログ回線１０６からファントム給電を取得すると共に、センサ通信手段２０２、回線通信手段２０３、及び制御手段２０１へ電力を供給する局給電取得手段２０４を備える。健康端末装置１０１の動作に必要な電力にアナログ回線１０６からのファントム給電を利用することで、ＡＣアダプタや電池が不要な構成とすることができる。【選択図】図２
2006230557.tif 000002
【特許請求の範囲】
【請求項１】
バイタルセンサから測定された生体情報を受信するセンサ通信手段と、
ファントム給電が可能なアナログ回線に接続可能であり、このアナログ回線を介して生体情報を蓄積するサーバーと通信するための回線通信手段と、
前記センサ通信手段と前記回線通信手段とを制御する制御手段と、
前記アナログ回線から前記ファントム給電を取得すると共に、前記センサ通信手段、前記回線通信手段、及び前記制御手段へ電力を供給する局給電取得手段と
を備えた健康端末装置。
【請求項２】
前記局給電取得手段により充電され、前記回線通信手段が前記アナログ回線が接続されていないときに前記センサ通信手段、前記回線通信手段、及び前記制御手段に供給する電力を蓄積するための電力蓄積手段をさらに備えた請求項１に記載の健康端末装置。
【請求項３】
前記電力蓄積手段がコンデンサにより構成された請求項２に記載の健康端末装置。
【発明の詳細な説明】
【技術分野】
【０００１】
本発明は、医師や看護師などの医療関係者と、在宅あるいは医療機関内の患者との間で医療情報や生体情報の交信を行うことができる健康診断ネットワークシステムに関するものである。
【背景技術】
【０００２】
従来の健康診断ネットワークシステムでは、各家庭に設置された健康端末装置へ血糖計、血圧計などの各種センサにより測定した生体情報のデータを転送し、健康端末装置からサーバー側へ送信する。これにより患者宅から離れた医師がインターネット網を経由してこのデータをチェックし、患者の通院なしに、適切なアドバイスや診療を行うことができる。（例えば、特許文献１参照）。
【０００３】
【特許文献１】国際公開第ＷＯ０１／７５７６４号パンフレット
【発明の開示】
【発明が解決しようとする課題】
【０００４】
しかしながら、従来の健康端末装置ではＡＣアダプタによる外部電源か、電池の内蔵が必要である。高齢者や体が不自由な患者には壁の床に近いところにある電源コンセントへの接続や電池交換が非常に煩わしいという問題があった。
【０００５】
本発明は、従来の問題を解決するためになされたもので、ＡＣアダプタや電池が不要で煩わしさのない健康端末装置を提供することを目的とする。
【課題を解決するための手段】
【０００６】
本発明の健康端末装置は、バイタルセンサから測定された生体情報を受信するセンサ通信手段と、ファントム給電が可能なアナログ回線に接続可能であり、このアナログ回線を介して生体情報を蓄積するサーバーと通信するための回線通信手段と、前記センサ通信手段と前記回線通信手段とを制御する制御手段と、前記アナログ回線から前記ファントム給電を取得すると共に、前記センサ通信手段、前記回線通信手段、及び前記制御手段へ電力を供給する局給電取得手段とを備えた構成を有している。
【０００７】
この構成により、健康端末装置の動作に必要な電力はアナログ回線からのファントム給電を利用することで、ＡＣアダプタや電池が不要な構成とすることができる。これにより腰に持病を持っているため壁際のコンセントに接続するのが困難であったり、手が震えて電池交換が難しい患者であっても健康端末装置を利用できる。
【０００８】
バイタルセンサの種類は特に限定されない。バイタルセンサには、例えば血糖計、血圧計、体温計、脈拍計、血中飽和酸素濃度計、体重計、体脂肪率計、聴診器、心電計などがある。
【０００９】
前記健康端末装置は、前記局給電取得手段により充電され、前記回線通信手段が前記アナログ回線が接続されていないときに前記センサ通信手段、前記回線通信手段、及び前記制御手段に供給する電力を蓄積するための電力蓄積手段をさらに備えた構成を有することが好ましい。
【００１０】
この構成により、アナログ回線に健康端末装置が接続されていない場合でも血糖計、血圧計などのバイタルセンサから生体情報を受信することができる。
【００１１】
前記電力蓄積手段は、例えばコンデンサである。この構成により、安価に健康端末装置を提供することができる。
【発明の効果】
【００１２】
本発明は、血糖計、血圧計などの生体の情報を取得するバイタルセンサから測定された生体情報を受信するセンサ通信手段と、アナログ回線に接続され生体情報を蓄積するサーバーと通信するための回線通信手段と、センサ通信手段と回線通信手段とを制御する制御手段と、アナログ回線からファントム給電を取得すると共に、センサ通信手段と回線通信手段と制御手段へ電力を供給する局給電取得手段を備えた構成にすることで、健康端末装置の動作に必要な電力はアナログ回線からのファントム給電を利用できるので、ＡＣアダプタや電池の不要な構成とすることができる。これにより腰に持病を持っているため壁際のコンセントに接続するのが困難であったり、手が震えて電池交換が難しい患者であっても煩わしさを感じることなく健康端末装置を利用できる。換言すれば、患者にとってみて非常に使いやすい健康端末装置を提供することができ、在宅ヘルスケアシステムのさらなる普及を促すことができる。
【発明を実施するための最良の形態】
【００１３】
以下、本発明の実施の形態の健康端末装置を利用する在宅ヘルスケアシステムについて、図面を用いて説明する。尚、以下の実施の形態によって本発明が限定されるものではない。
【００１４】
本発明の実施の形態における在宅ヘルスケアシステムの構成図を図１に示す。
【００１５】
図１において、在宅ヘルスケアシステムは、健康端末装置１０１、センタサーバー１０２、医師端末１０３、ファイアウォール１０４、ＲＡＳ（Remote Access Service）１０５、アナログ回線１０６、インターネット網１０７からなる。健康端末装置１０１はアナログ回線１０６、ＲＡＳ１０５、及びファイアウォール１０４を介してセンターサーバ１０２に接続されている。一方、医師端末１０３は、インターネット網１０７及びファイアウォール１０４を介してセンタサーバー１０２に接続されている。
【００１６】
健康端末装置１０１は、患者がバイタルセンサの一例である血糖計２１０、血圧計２１１（図２参照）で測定した生体情報を受信する。また、健康端末装置１０１は、アナログ回線１０６を介してセンタサーバー１０２へ生体情報を送信する。
【００１７】
センタサーバー１０２はＷｅｂ機能とデータベース機能を持ち合わせており、健康端末装置１０１から受信した生体情報をセンタサーバー１０２のデータベースへと蓄積をする。健康端末装置１０１からセンタサーバー１０２への生体情報の送信において、ＲＡＳ１０５はアナログ回線１０６を介して健康端末装置１０１からの着信があると、ＰＡＰ（Paswowrd Authentification Protocol）、もしくは暗号化パスワードが必要な場合にはＣＨＡＰ（Callage Hand-shake Authentification Protocol）によりＰＰＰ（Point-to Point Protocol）接続を行う。そして健康端末装置１０１とセンタサーバー１０２はこの接続によりデータ受信を行うことができる。
【００１８】
医師端末１０３は、例えばインターネットのＷｅｂサイトをブラウジングできる一般的なパーソナルコンピューターである。医師、看護師などの医療関係者は、この医師端末１０３によりインターネット網１０７を経由して、センタサーバー１０２のＷｅｂ機能を利用し、データベースに蓄積されている患者データを閲覧し、生体情報に異常があるならば患者に対して精密検査を勧めるなどの遠隔診断を行うことができる。例えば、センタサーバ１０２のデータベースに診断結果などを蓄積し、健康端末装置１０１で蓄積された診断結果を閲覧可能とする構成が考えられる。
【００１９】
ファイアウォール１０４はセンタサーバー１０２をインターネット網１０７もしくはＲＡＳ１０５を経由した悪意のある者から防御するためのセキュリティ機器である。
【００２０】
アナログ回線１０６は、ファントム給電を行っている回線である必要がある。ファントム給電とは、データ信号を伝送する信号伝送線を使って電力を同時に伝送する給電方式をいう。本実施の形態では、アナログ回線１０６は電話回線であり、電話交換機によってデータ信号にいわば上乗せする形態で電圧が印加されている。
【００２１】
次に、図２に本発明の実施の形態における健康端末装置１０１のブロック図を示す。
【００２２】
図２において、健康端末装置１０１は、制御手段２０１、センサ通信手段２０２、回線通信手段２０３、局給電取得手段２０４、及び電力蓄積手段２０５を備える。バイタルセンサの一例である血糖計２１０と血圧計２１１が健康端末装置１０１に接続されている。
【００２３】
血糖計２１０により患者の血液中の糖分が測定される。血糖計２１０は、健康端末装置１０１へ測定したデータ（生体情報）を送信する。血圧計２１１により患者の血圧が測定される。血糖計２１０は、健康端末装置１０１へ測定したデータを送信する。
【００２４】
センサ通信手段２０２は血糖計２１０と血圧計２１１から患者が測定した生体情報を受信して、これを制御手段２０１へ送信する。センサ通信手段２０２は血糖計２１０や血圧計２１１などの各種のバイタルセンサと通信可能なインターフェスを備えている。
【００２５】
回線通信手段２０３はアナログ回線１０６を経由してセンタサーバー１０２へ血糖計２１０や血圧計２１１によって測定された生体情報を送信するために、ＲＡＳ１０５とＰＰＰ接続するためのダイヤリング等の通信処理を行う。
【００２６】
制御手段２０１はセンサ通信手段２０２と回線通信手段２０３を制御すると共に、血糖計２１０や血圧計２１１からセンサ通信手段２０２を介して受信した生体情報をセンタサーバー１０２へと送信するためにデータプロトコルを変換する機能を有する。
【００２７】
局給電取得手段２０４はアナログ回線１０６に電話交換機により印加されているファントム給電を取得し、これを制御手段２０１、センサ通信手段２０２、及び回線通信手段２０３へ供給する。
【００２８】
電力蓄積手段２０５はアナログ回線１０６からファントム給電を局給電取得手段２０４が取得できない場合に、事前に蓄積していた電力をセンサ通信手段２０２、制御手段２０１及び回線通信手段２０３へ供給するものである。
【００２９】
以上のように構成された健康端末装置１０１の動作を詳細に説明する。尚、図２において、構成要素を示す各ブロック間を結ぶ線のうち、実線はデータないしは生体情報の転送経路を示し、破線は充電のための電気的経路を示し、一点鎖線は給電のための電気的経路を示している。
【００３０】
まず、患者は血糖計２１０、血圧計２１１により血糖値や血圧値を測定する。血糖計２１０、血圧計２１１は、測定後血糖値や血圧値を健康端末装置１０１へ送信する。健康端末装置１０１ではセンサ通信手段２０２を通じてこの生体情報を受信する。生体情報を受信したセンサ通信手段２０２はこれを制御手段２０１へ転送する。このバイタルセンサからの生体情報の受信と受信した生体情報の制御手段２０１への転送の間、センサ通信手段２０２は、電力蓄積手段２０５から供給される電力により動作する。この時点では局給電取得手段２０４はアナログ回線１０６からファントム給電を取得していないので、電力蓄積手段２０５に事前に蓄積されている電力がセンサ通信手段２０２に供給される。
【００３１】
センサ通信手段２０２から生体情報を受信した制御手段２０１は、センタサーバー１０２とアナログ回線１０６を介した通信を確立するために、回線通信手段２０３に対してＰＰＰ接続のためのダイヤリング指示を行う。回線通信手段２０３によるダイヤリング開始までの間、制御手段２０１及び回線通信手段２０３は電力蓄積手段２０５から電力供給を受ける。回線通信手段２０３がダイヤリングを開始するまでは、局給電取得手段２０４はアナログ回線１０６からファントム給電を取得していないので、電力蓄積手段２０５に事前に蓄積されている電力が制御手段２０１及び回線通信手段２０３に供給される。
【００３２】
回線通信手段２０３はダイヤリングをするときにアナログ回線１０６を閉結状態にするが、このときに局給電取得手段２０４は回線から約１００ｍＡ程度の電流を引き込む。一般的にアナログ回線からは最大１３０ｍＡ以下の電流を引き込んでよい。（例えば、「技術参考資料  電話サービスのインターフェス」第５版、日本電信電話株式会社を参照）。局給電取得手段２０４は回線通信手段２０３がアナログ回線１０６を介してセンタサーバー１０２と通信する間は、電流を引き込みこれを電圧変換して電力蓄積手段２０５に充電し、この電力は次のセンサ通信手段２０２、制御手段２０１、及び回線通信手段２０３の動作電力として利用される。換言すれば、回線通信手段２０３がアナログ回線１０６との接続を確立している間は、電力蓄積手段２０５は局電力取得手段２０５によってアナログ回線１０６から取得されるファントム給電によって充電されつつ、センサ通信手段２０２、制御手段２０１、及び回線通信手段２０３に対して電力を供給する。従って、この間は、センサ通信手段２０２、制御手段２０１、及び回線通信手段２０３に対して電力蓄積手段２０５を介して間接的に局電力取得手段２０４から電力が供給される。
【００３３】
次に図３に示す概略的な回路図を参照してアナログ回線１０６からのファントム給電の取得と、電力蓄積手段２０５への充電に関する動作原理を説明する。尚、この例ではアナログ回線１０６と健康端末装置１０１の接続は２線Ｌ１，Ｌ２により行われている。
【００３４】
図３に示すように、回線通信手段２０３は、ダイオードブリッジ３０１と送受信ＩＣ３０２を備える。ダイオードブリッジ３０１は、アナログ回線１０６からのファントム給電が印加された信号の極性を一定にする。送受信ＩＣ３０２は受信した信号の電圧レベルを制御手段２０１で扱う電圧レベルへ変換すると共に、アナログ信号とデジタル信号の変復調処理を行う。局給電取得手段２０４は、直流コンデンサ３０３とトランス３０４を備える。直流コンデンサ３０３は交流である信号をカットする。トランス３０４はアナログ回線１０６からのファントム給電の直流成分を電圧変換すると共に降圧した電力を電力蓄積手段２０５へ供給する。電力蓄積手段２０５は一端が接地され他端がトランス３０４に接続されたコンデンサからなる。
【００３５】
アナログ回線１０６にて供給されるファントム給電は通常４８Ｖ前後であり、ダイオードブリッジ３０１と直流コンデンサ３０３を経由してトランス３０４にて各回路の動作電圧として使用される５Ｖ前後まで降圧される。そして、通信中はこの電力が電力蓄積手段２０５であるコンデンサに蓄積される。非通信時はコンデンサである電力蓄積手段２０５に通信中に蓄積された電力を用いて各回路が動作する。
【００３６】
以上のように、本発明の実施の形態の健康端末装置１０１によれば、健康端末装置１０１の動作に必要な電力として局給電取得手段２０４で取得したアナログ回線１０６からのファントム給電を利用することで、ＡＣアダプタや電池なしの構成とすることができる。これにより腰に持病を持っているため壁際のコンセントに接続するのが困難であったり、手が震えて電池交換が難しい患者であっても煩わしさを感じることなく健康端末装置１０１を利用できる。
【図面の簡単な説明】
【００３７】
【図１】本発明の実施の形態における健康端末装置を利用した在宅ヘルスケアシステムの構成図。
【図２】本発明の実施の形態における健康端末装置のブロック図。
【図３】本発明の実施の形態における回線通信手段、局給電取得手段、及び電力蓄積手段の概略回路図。
【符号の説明】
【００３８】
１０１  健康端末装置
１０２  センタサーバー
１０３  医師端末
１０４  ファイアウォール
１０５  ＲＡＳ
１０６  アナログ回線
１０７  インターネット網
２０１  制御手段
２０２  センサ通信手段
２０３  回線通信手段
２０４  局給電取得手段
２０５  電力蓄積手段
２１０  血糖計
２１１  血圧計
３０１  ダイオードブリッジ
３０２  送受信ＩＣ
３０３  直流コンデンサ
３０４  トランス
【図１】
2006230557.tif 000003
【図２】
2006230557.tif 000004
【図３】
2006230557.tif 000005